(57)【要約】      （修正有）【課題】開いてから初期の段階に、閉じる向きに生ずる空気力を低減できる航空機の扉を提供する。【解決手段】装備品であるＲＡＴ１３を格納する格納室１６の開口を閉じ、ＲＡＴ１３の格納室１６からの展開に応じて開かれる航空機の扉１８であって、開口を開閉し、閉じた状態で外部に臨む表面と格納室１６に臨む裏面とを有する扉本体と、ＲＡＴ１３が格納される位置よりも航空機１０の進行方向の前方側の扉本体の裏面から立ち上がるフェンスと、を備える。フェンスは、扉１８が開き始める初期の段階で、ＲＡＴ１３と扉本体の間を空気流が通過するのを防止することで、閉じる向きの空気力が扉本体に働くのを抑制する。【選択図】図１
2014234080.tif 000002
【特許請求の範囲】
【請求項１】
装備品を格納する格納室の開口を閉じ、前記装備品の前記格納室からの展開に応じて開かれる航空機の扉であって、
前記開口を開閉し、閉じた状態で外部に臨む表面と前記格納室に臨む裏面とを有する扉本体と、
前記装備品が存在する位置よりも前記航空機の進行方向の前方側において、前記扉本体の前記裏面から立ち上がるフェンスと、
を備えることを特徴とする航空機の扉。
【請求項２】
前記フェンスは、
前記扉が所定の開度の範囲において、前記装備品と前記扉本体の間の間隔よりも、高さが高い、
ことを特徴とする請求項１に記載の航空機の扉。
【請求項３】
前記フェンスは、
前記進行方向に沿って視たときに、前記フェンスが占める前記進行方向に直交する方向の領域の範囲内に前記装備品が配置される、
ことを特徴とする請求項１又は請求項２に記載の航空機の扉。
【請求項４】
請求項１から３のいずれか一項に記載の扉を備えることを特徴とする、
航空機。
【発明の詳細な説明】
【技術分野】
【０００１】
本発明は、航空機の機体表面に設けられる扉に関する。
【背景技術】
【０００２】
航空機は、機内に人が出入りしたり、また、貨物の積み下ろしをしたりするための開口を開閉する扉に加えて、ＲＡＴ（Ram Air Turbine，例えば特許文献１）の格納室の開口を開閉する扉、あるいは、降着装置（例えば特許文献２）の格納室の開口を開閉する扉が設けられている。
ＲＡＴは、平常時は例えば胴体の中央下部に設けられる格納室に格納されているが、飛行中にエンジン（エンジンの発電装置を含む。以下、同じ。）及び補助電源装置が故障してエンジン及び補助電源装置からの電力を喪失する緊急事態になると、自動的に機外に展開して、風力により駆動される発電機又は油圧ポンプとなって緊急用の駆動力を確保する。ＲＡＴの格納室を開閉する扉（以下、ＲＡＴ扉）は、ＲＡＴが自動展開に同期して開く。ＲＡＴ扉は、機体との間に設けられる軸を中心にして機体に対して回動自在に設けられており、例えば油圧アクチュエータの動力によって開閉動作を行う。
【先行技術文献】
【特許文献】
【０００３】
【特許文献１】特開２０１０−１９５１４９号公報
【特許文献２】米国特許５８２００７４号公報
【発明の概要】
【発明が解決しようとする課題】
【０００４】
ＲＡＴの展開に伴ってＲＡＴの格納室に設けられる扉も開くが、ＲＡＴの展開初期において扉の開度が小さい段階では、扉が閉じる方向に空気力が働き、扉が開くのを妨げることがある。したがって、この空気力は扉を動作させるアクチュエータの能力に影響を与える。換言すれば、扉に働く空気力を低減できれば、アクチュエータに必要な能力を小さくすることができるので、扉に関する重量及びコストを低減できる。
そこで本発明は、扉が開き始めてから初期の段階で、閉じる向きに働く空気力が生ずるのを抑制できる航空機の扉を提供することを目的とする。
【課題を解決するための手段】
【０００５】
かかる目的のもと、本発明の航空機の扉は、装備品を格納する格納室の開口を閉じ、装備品の格納室からの展開に応じて開かれる航空機の扉であって、開口を開閉し、閉じた状態で外部に臨む表面と格納室に臨む裏面とを有する扉本体と、装備品が存在する位置よりも航空機の進行方向の前方側において、扉本体の裏面から立ち上がるフェンスと、を備えることを特徴とする。
本発明者らの検討によると、扉が閉じる向きに生ずる空気力は、装備品（例えばＲＡＴ）と扉本体の隙間を空気流れが通過することで、当該隙間の圧力が低下することで生ずる。本発明によると、フェンスが、扉が開き始める初期の段階で、装備品と扉本体の間の隙間を空気流が通過するのを抑制することで、閉じる向きの空気力が扉本体に働くのを抑制することができる。したがって、本発明によると、扉を駆動するアクチュエータの能力を小さくすることができるので、扉に関する重量及びコストを低減できる。
【０００６】
本発明の航空機の扉において、フェンスは、扉が所定の開度の範囲において、装備品と扉本体の間の間隔よりも、高さが高いことが、装備品と扉本体の間を空気流が通過するのを防止する上で好ましい。同様に、進行方向に沿って視たときに、フェンスが占める進行方向に直交する方向の領域の範囲内に装備品が配置されることが好ましい。
【０００７】
本発明は、以上の扉を備える航空機を提供するが、この航空機は、扉を駆動するアクチュエータの能力を小さくできることを通じて、その重量及びコストを低減することができる。
【発明の効果】
【０００８】
本発明によれば、フェンスが、装備品と扉本体の間を空気流が通過するのを抑制するので、閉じる向きの空気力が扉本体に働くのを抑制することができる。したがって、本発明によれば、扉を駆動するアクチュエータの能力を小さくすることができるので、扉に関する重量及びコストを低減できる。
【図面の簡単な説明】
【０００９】
【図１】本発明の実施形態に係る航空機の機首近傍の図であり、（ａ）はＲＡＴが格納されている状態を示し、（ｂ）はＲＡＴが展開された状態を示している。
【図２】本実施形態に係る扉を裏面側から示す図である。
【図３】本実施形態に係る扉の周囲を簡略化して示す図であり、（ａ−１），（ａ−２）は扉が閉じた状態を示し、（ｂ−１），（ｂ−２）は扉が開いた初期の状態を示し、また、（ｃ−１），（ｃ−２）は扉が全開した状態を示している。
【図４】本実施形態に係る扉の要素を説明する図である。
【発明を実施するための形態】
【００１０】
以下、本発明を添付図面に示す実施形態に基づいて詳細に説明する。
図１に示すように、航空機１０は、胴体１１と、ＲＡＴ１３と、ＲＡＴ１３を格納する格納庫１５と、を備えている。
ＲＡＴ１３は、通常、図１（ａ）にしめすように格納庫１５に格納されているが、エンジン及び補助電源装置からの電力を喪失する緊急事態になると図１（ｂ）に示すように格納庫１５から胴体１１の外部に展開し、タービンブレード１４が気流を受けて回転することで、図示しない発電機を駆動し、発電を行う。
格納庫１５は、胴体１１の表面から内部に向けて窪み、ＲＡＴ１３を格納するのに足りる容積を備える格納室１６と、格納室１６の開口を開閉する扉１８とを備える。扉１８は、ＲＡＴ１３の展開及び格納に応じて開閉の動作を行う。
【００１１】
扉１８は、例えば図２に示すように、格納室１６の開口の開閉を担う扉本体２０と、扉本体２０の離間する二カ所に設けられるヒンジアーム２２と、扉本体２０の裏面に設けられるフェンス２４とを備える。閉じた扉１８が、外部に臨む面を表面とし、格納室１６に臨む面を裏面とする。扉１８は、ヒンジアーム２２が胴体１１に回動可能に取り付けられることで、開閉の動作を行うことができる。扉１８を開閉する動力は、図示を省略するアクチュエータから得られる。
フェンス２４は、偏平な板状の部材であり、扉１８が胴体１１に取り付けられた状態で、航空機１０の進行方向Ｄの前方であって、扉本体２０の裏面と直交する向きに設けられている。扉１８が閉じていると、フェンス２４は、扉本体２０の裏面から格納室１６の奥に向けて突出する。なお、フェンス２４は、図２（ａ）に示すようにヒンジアーム２２の一部として設けることもできるし、図２（ｂ）に示すようにヒンジアーム２２と区別して設けることができる。
フェンス２４は、ＲＡＴ１３の展開に伴い閉じていた扉１８が開き始めてからの初期段階に、装備品であるＲＡＴ１３と扉本体２０との間を空気流が通過するのを避けるために設けられている。以下、この点について図３を参照して説明する。なお、図３（ａ−１），（ｂ−１），（ｃ−１）は、進行方向Ｄに直交する方向から視た図であり、図３（ａ−２），（ｂ−２），（ｃ−２）は、進行方向Ｄに沿った方向から視た図である。
【００１２】
航空機１０が通常の航行をしている間は、図３（ａ−１），（ａ−２）に示すように、ＲＡＴ１３が格納室１６に格納され、扉１８が閉じている。なお、図３において、ＲＡＴ１３は、形状を簡略化して球状に示され、かつ、格納室１６の内部のほぼ中央に配置されているが、これはあくまで一例である。例えば、格納状態で装備品（ＲＡＴ１３）が扉本体２０の裏面と隙間なく配置されていてもよく、また、進行方向Ｄの中央よりも前方又は後方にずれて配置されていてもよい。
【００１３】
ＲＡＴ１３の展開に伴って図３（ｂ−１），（ｂ−２）に示すように扉１８が開くと、空気流Airが扉１８と格納室１６の間に流れ込もうとする。なお、ＲＡＴ１３は、その一部が格納室１６の中にいる。ところが、フェンス２４が扉１８の裏面に設けられているので、図３（ｂ−１）に示すように、空気流AirはＲＡＴ１３と扉本体２０の間に流れ込むことができずに、ＲＡＴ１３よりも上方の格納室１６を通過する。仮に、フェンス２４が設けられていないものとすると、空気流AirはＲＡＴ１３と扉本体２０の間に流れ込み、かつそこを通過する。そうすると、ＲＡＴ１３と扉本体２０の間の気圧が低くなるので、扉本体２０は閉じる向きに力を受ける。したがって、扉１８を駆動するアクチュエータは、この閉じる向きの力を考慮した能力を備える必要がある。これに対して、本実施形態は、フェンス２４があるのでＲＡＴ１３と扉本体２０の間に空気流Airが流れるのが防止されるので、ＲＡＴ１３と扉本体２０の間の圧力が低くなることによる、扉本体２０を閉じる向きの力は生じない。したがって、本実施形態においては、扉１８を駆動するアクチュエータとして、当該閉じる向きの力を考慮する必要がないので、小型でかつ低コストのものを用いることができる。
【００１４】
その後、図３（ｃ−１），（ｃ−２）に示すように、扉１８が全開の位置まで開くと、ＲＡＴ１３が必要な動作を開始するが、全開の位置まで扉１８が開く過程でフェンス２４はその役割を終える。つまり、フェンス２４は、扉１８の開度が所定の範囲において、扉本体２０を閉じる向きの空気力を抑制する。ただし、所定の範囲は、個々の航空機に応じて個別に設定される。
【００１５】
装備品３０と扉本体２０の間に空気流Airが流れるのを阻止することを目的とするフェンス２４に要求されるいくつかの要素について、以下説明する。
［位置］
フェンス２４は、図４（ａ）に示すように、装備品３０と扉本体２０の間の隙間Ｇよりも進行方向Ｄの前方の領域Ｓの任意の位置に設けることができる。領域Ｓの範囲のいずれかの位置にフェンス２４を設ければ、空気流Airが隙間Ｇを通過するのを阻止できるからである。なお、装備品の形状及び寸法によっては隙間Ｇが進行方向Ｄに相当の長さを有することがあるが、この場合には、図４（ａ）に示すように、隙間Ｇの進行方向Ｄの後端、つまり装備品３０が存在する位置よりも前方側にフェンス２４を設けることができる。空気流Airが隙間Ｇを通過するのを阻止できるからである。
フェンス２４は、領域Ｓの範囲内のいずれの位置に設けられてもその効果を同様に発揮できるが、格納状態において、装備品が隙間なく扉本体２０と接する場合には、装備品と干渉しない位置にフェンス２４を設けることになる。つまり、装備品との関係でフェンス２４の設けられる位置が特定されることがある。
【００１６】
フェンス２４は、図４（ｂ）に示すように、進行方向Ｄに直交する方向Ｖについては、進行方向Ｄに沿って視たときに、フェンス２４が占める方向Ｖの領域Ｔの範囲内に装備品３０が配置されるように設けられる。そうすれば、空気流Airが隙間Ｇを通過するのを防止できるからである。ただし、領域Ｔと装備品３０が部分的に重複していない部分があっても、程度は下がるものの、空気流Airが隙間Ｇを通過するのを防止する作用を得ることができる。
【００１７】
［高さ、及び、幅］
フェンス２４は、隙間Ｇを空気流Airが通過するのを防止するものであるから、図４（ｃ）に示すように、隙間Ｇの間隔ｈ以上の高さＨを有していることが好ましい。ただし、高さＨが間隔ｈより低くても、空気流Airが隙間Ｇを通過するのを防止する作用を部分的には得ることができるので、高さＨが間隔ｈ以上であることは本発明の必須要素ではない。もっとも、隙間Ｇを空気流Airが通過するのを防止するのをより確実にするためには、高さＨが間隔ｈ以上であることが好ましい。高さＨは、フェンス２４と装備品３０の距離を考慮して定めることができる。なお、間隔ｈは、装備品３０の中で最も扉本体２０に近い部位で特定されるものとする。
フェンス２４の高さＨは、フェンス２４を設ける位置に対応して変動させることが好ましい。つまり、フェンス２４を設ける位置が進行方向Ｄの前方に近い、つまり装備品３０に遠いほど、高さＨを高くすることが好ましい。フェンス２４が装備品３０から遠いと、フェンス２４で堰き止められた空気流Airが向きを変えて隙間Ｇを通過する可能性があるので、高さＨを高くするのである。一方、フェンス２４が装備品３０に近ければ、堰き止められた空気流Airが向きを変えて隙間Ｇを通過する可能性は極めて低いので、フェンス２４が装備品３０から遠い場合に比べて、高さＨを低くすることができる。
【００１８】
フェンス２４は、図４（ｄ）に示すように、装備品３０の幅ｗ以上の幅Ｗを有していることが好ましい。ただし、幅Ｗが幅ｗより狭くても、空気流Airが隙間Ｇを通過するのを防止する作用を部分的には得ることができるので、幅Ｗが幅ｗ以上であることは本発明の必須要素ではない。もっとも、隙間Ｇを空気流Airが通過するのを防止するのをより確実にするためには、幅Ｗが幅ｗ以上であることが好ましい。幅Ｗは、フェンス２４と装備品３０の距離を考慮して定めることができる。なお、幅ｗは、装備品３０の中で最も幅の大きい部位で特定されるものとする。
フェンス２４の幅Ｗが、フェンス２４を設ける位置に対応して変動させることができることは、高さＨと同様である。
【００１９】
［形状・形態］
フェンス２４は、平面形状が矩形であるが、本発明の目的を達成できる限り、フェンスの平面形状に制約はなく、三角形、五角形などの多角形、不定形、その他の任意の形状を採用することかできる。ただし、装備品３０の形状を考慮することが好ましい。例えば、装備品３０の平面形状が円形だとすると、装備品３０との重複部分をフェンス２４から切り欠いてもよい。つまり、フェンス２４は、装備品３０の形状に対応する平面形状を備えることができる。
また、フェンス２４は、横断面の形状も矩形をなしているが、本発明はこれに限定されない。例えば、空気流Airを受ける面を傾斜面にするなどの任意の横断面の形状を採用することができる。
【００２０】
以上、本発明を実施形態に基づいて説明したが、本発明の主旨を逸脱しない限り、上記実施形態で挙げた構成を取捨選択したり、他の構成に適宜変更することが可能である。
例えば、以上の実施形態は装備品としてＲＡＴ１３を用いた例を示したが、本発明の適用対象はＲＡＴ１３に限らない。航空機の主脚の格納庫にも、装備品としての主脚の展開及び格納に対応して開閉する扉を備えており、本発明の適用対象となる。その他、本発明は、装備品の展開に対応して扉が開いたときに、装備品と扉の間に隙間が生ずる航空機の要素に適用することができる。
材料は何でもよい。
【符号の説明】
【００２１】
１０    航空機
１１    胴体
１３    ＲＡＴ
１４    タービンブレード
１５    格納庫
１６    格納室
１８    扉
２０    扉本体
２２    ヒンジアーム
２４    フェンス
３０    装備品
Air    空気流
Ｄ      進行方向
Ｇ      隙間
Ｓ，Ｔ  領域
【図１】
2014234080.tif 000003
【図２】
2014234080.tif 000004
【図３】
2014234080.tif 000005
【図４】
2014234080.tif 000006